(57)【特許請求の範囲】
【請求項１】
有効性を有する電子データについての印刷処理を管理する印刷管理装置と、前記印刷管理装置とネットワークを介して接続された情報処理装置と、前記情報処理装置に接続された印刷装置を用いて媒体に前記電子データを印刷する印刷方法において、
前記情報処理装置が、前記電子データを印刷することを要求する印刷要求情報を送信するステップと、
前記印刷装置が、前記印刷要求情報に応じた印刷を実行するステップと、
前記印刷装置から前記印刷管理装置に、前記印刷を実行した旨を示す印刷情報および前記印刷を実行された媒体の識別情報を送信するステップと、
前記印刷管理装置が、送信された前記印刷情報および前記識別情報を前記電子データに対応付けて記憶するステップを有することを特徴とする印刷方法。
【請求項２】
請求項１に記載の印刷方法において、
前記印刷管理装置が、印刷された前記電子データを無効化する情報を前記識別情報に対応させて記憶するステップと、
前記印刷管理装置が、前記印刷された媒体を有効化する情報を前記識別情報に対応付けて記憶するステップを有することを特徴とする印刷方法。
【請求項３】
請求項１に記載の印刷方法において、
前記情報処理装置が印刷要求情報を送信するステップは、
前記ネットワークを介して、前記電子データを記憶している前記印刷管理装置に送信するステップと、
前記印刷管理装置が、前記ネットワークを介して情報処理装置に前記印刷要求情報に対応する電子データを送信するステップと、
前記情報処理装置が、前記印刷装置に前記印刷要求情報および送信された前記電子データを送信するステップを有することを特徴とする印刷方法。
【請求項４】
請求項１に記載の印刷方法において、
前記印刷管理装置が、電子データと前記電子データに対応する内容が印刷された媒体のいずれが有効化であるかを問い合わせる情報を受信するステップと、
前記問合わせる情報が示す電子データが、前記対応付けて記憶するステップで記憶されている場合は、前記媒体が有効である旨の情報を返信するステップを有することを特徴とする印刷方法。
【請求項５】
請求項２に記載の印刷方法において、
前記情報処理装置が、前記印刷装置で印刷された媒体を無効化または対応する電子データの有効化を要求する情報および対応する識別情報を前記印刷管理装置に送信するステップと、
前記情報処理装置が、前記印刷装置で印刷された媒体を無効化または対応する電子データの有効化を要求する情報を前記印刷装置に送信するステップと、
前記印刷管理装置が、前記電子データを無効化する情報を記憶するステップと、
前記印刷装置が、前記媒体に前記媒体を無効化する情報を印刷するステップを有することを特徴とする印刷方法。
【請求項６】
請求項１に記載の印刷方法において、
前記識別情報は、前記媒体に付加されたＩＣチップに記憶され、前記ＩＣチップを識別するＩＣチップ識別情報であることを特徴とする印刷方法。
【請求項７】
印刷装置に印刷要求を送信する情報処理装置とネットワークを介して接続され、有効性を有する電子データについての印刷処理を管理する印刷管理装置において、
前記情報処理装置から送信される、印刷要求情報に応じた前記印刷装置が印刷を実行した旨を示す印刷情報および前記印刷を実行された媒体の識別情報を受信する受信機と、
前記印刷情報および識別情報を対応付けて記憶する記憶装置と、
前記記憶装置に印刷情報が記憶されている電子データに関しては、印刷された媒体を有効として情報処理を行う処理装置を有することを特徴とする印刷管理装置。
【請求項８】
請求項７に記載の印刷管理装置において、
前記記憶装置は、印刷された前記電子データを無効化する情報を前記識別情報に対応させて記憶し、前記印刷された媒体を有効化する情報を前記識別情報に対応付けて記憶することを特徴とする印刷管理装置。
【請求項９】
請求項７に記載の印刷管理装置において、
前記電子データを予め記憶している第２の記憶装置と、
前記ネットワークを介して前記情報処理装置に前記印刷要求情報に対応する電子データを送信する送信機とを有し、
前記情報処理装置が、前記印刷装置に前記印刷要求情報および送信された前記電子データを送信することを特徴とする印刷管理装置。
【請求項１０】
請求項７に記載の印刷管理装置において、
電子データと前記電子データに対応する内容が印刷された媒体のいずれが有効化であるかを問い合わせる情報を受信する受信機と、
前記問合わせる情報が示す電子データが、前記記憶装置に対応付けて記憶されている場合は、前記媒体が有効である旨の情報を返信する送信機を有することを特徴とする印刷管理装置。
【請求項１１】
有効性を有する電子データを所定の媒体に印刷する印刷方法において、
予め複数の電子データを記憶しておき、
前記複数の電子データのうち１つについての印刷を媒体に対して実行し、
前記実行された印刷の内容を示す内容情報を取得し、
取得された内容情報に対応する電子データを無効化することを特徴とする印刷方法。
【請求項１２】
ＩＣチップが付加された郵便物を管理する郵便物管理システムにおいて、
前記郵便物を引き受ける引受郵便局の引受郵便局端末装置と、
前記引受郵便局端末装置を接続され、前記引受郵便局端末装置から前記郵便物の宛先を示す情報を前記郵便物に印刷する印刷要求を受信し、受信された印刷要求に対応する宛先を前記郵便物に印刷し、印刷された内容を示す宛先情報および前記ＩＣチップに格納された識別情報を送信する印刷装置と、
前記印刷装置から送信された宛先情報および識別情報を受信し、受信された宛先情報および識別情報を対応付けて記憶する郵便業務管理装置と、
前記郵便業務管理装置と接続され、前記郵便物に付加されたＩＣチップから読み取った識別情報を、前記郵便業務管理装置に送信し、前記送信した識別情報に対応する宛先情報を、前記郵便業務管理装置から受信し、受信した宛先情報に配達するための情報処理を実行する複数の郵便局端末装置とを有することを特徴とする郵便物管理システム。
【請求項１３】
請求項１２に記載の郵便物管理システムにおいて、
前記宛先情報には、前記郵便物の宛先の住所、氏名および郵便番号を含むことを特徴とする郵便物管理システム。
【請求項１４】
請求項１２に記載の郵便物管理システムにおいて、
前記印刷装置は、前記郵便物に対して直接人間が読み取れないバーコードを宛先情報として印刷することを特徴とする郵便物管理システム。
【請求項１５】
請求項１２に記載の郵便物管理システムにおいて、
前記郵便物は、書留郵便物であることを特徴とする郵便物管理システム。
【発明の詳細な説明】
技術分野
本発明は、電子データを印刷する印刷方法に関する。この中でも特に、電子データとこの電子データを印刷した印刷物との関係を認証可能とするための技術に関するものである。
背景技術
近年の情報化社会の発展に伴い、従来の伝統的な印刷物に代わって、各種情報の伝達手段として電子データが利用されることが増えている。また、電子データ自身が、価値のあるデータとして交換されることもある。例としては、電子商取引における決済や、株券などは、すでに広く電子データ化されて利用されている。
電子データの特徴として、インターネットのようなオープンなネットワークにより、該電子データの伝達が容易に可能である。また、データベース管理システム技術により、複数データの統合的な管理が容易に可能である。このため、複数人での情報共有が容易に可能である、などが挙げられ、これが印刷物を用いた情報管理・情報伝達を行う場合に対しての、電子データのメリットとなっている。
一方、伝統的な印刷物による情報伝達も少なからず利用されている。それは、印刷物の特徴として、目視による確認が可能であり、手交することにより安全性を増加させることが可能であり、伝統的であるために印刷技術および輸送インフラが充実している、などが挙げられ、電子データを情報伝達手段として利用する場合と比較しても、メリットを多く持っている。
このように、印刷物による情報伝達と電子データによる情報伝達は、どちらも優れた側面を持っていて、複数人の間を伝達している、電子データとして管理されている情報を、印刷することにより、印刷物として再び伝達させる、という情報伝達の形式は、双方のメリットを併せ持つ形態として一般に利用されている。
たとえば、Ｅｌｅｃｔｒｏｎｉｃ  Ｃｏｍｍｅｒｃｅ（ＥＣ：電子商取引）の分野においては、電子データとして管理されている取引の申込書や明細書などを、電子メールに利用されるＳｉｍｐｌｃ  Ｍａｉｌ  Ｔｒａｎｓｆｅｒ  Ｐｒｏｔｏｃｏｌ（ＳＭＴＰ）や、ＨｙｐｅｒＴｅｘｔ  Ｔｒａｎｓｆｅｒ  Ｐｒｏｔｏｃｏｌ（ＨＴＴＰ）などの通信プロトコルを用いて、オープンネットワークを利用して当事者間で交換する。電子データを受信した当事者は、前記申込書や前記明細書の該電子データを印刷し、社内の業務フローなどに印刷物として利用している。
発明の開示
しかし、前記の情報伝達システムの技術においては、紙幣、あるいは株券、商品券、債券、船荷証券、手形、小切手などの有価証券類、あるいは、郵便書留、などの、紙の存在そのものが意味を持つ情報を、電子データとして管理して、さらにその電子データを印刷する際に、以下の問題がある。
まず、第一に、印刷物に対して高性能のコピー機を用いた偽造印刷物の作成が可能である。コピー機の解像精度および印刷品質は年々高くなっており、該印刷物をコピーすることにより、真贋の判定を十分に行う事が出来ない。
第二に、電子データに対する印刷を行う際に、複数枚の印刷を行うことができるため、印刷物の唯一性が保証できない。印刷時には、印刷するための印刷装置７４、あるいは、印刷装置７４を制御する印刷装置７４サーバに、該電子データ自身、もしくは該電子データを印刷用に加工した印刷データが一時記憶として保存される。そのため、該印刷対象データに対する、複数回の印刷実行命令を発行することにより、等価の印刷物を複数枚作成することが可能である。
第三に、電子データと、前記電子データを印刷した印刷物とが、正しい経路に従って、または正しい手順を用いて印刷されたものであるかどうかの関係を、チェックする手段が目視以外に存在しない。通常、前記のチェックを実現する方法の一つとして、印刷物に対して、印刷対象である電子データを特徴づける情報（印刷データそのもの、あるいは印刷データのハッシュ値など）を印刷する方法があるが、その真贋については目視以外に判定を行う手段が存在せず、さらに、第一の課題と第二の課題から、目視による判定自身の信頼性が失われている。
第四に、電子データを印刷した印刷物が、元の電子データを特定できないほどに破損した場合、該印刷物を復元する手段を提供できない。
第五に、電子データと、電子データを印刷した印刷物との関係をチェックする手段が目視以外に存在しないという第三の課題が存在することから、印刷物を再び電子データとして利用することを考えた場合、印刷物から、印刷された電子データを特定することができず、電子データを再利用することは困難である。
第六に、大量の印刷物が手交されていく場合、手交されるごとに、員数がそろっているか、あるいは必要なものがそろっているか、などのチェックを行う必要があり、人的コストが増えている。
そこで、本発明は、電子データと、該電子データを印刷した印刷物との関係を印刷後に確認できるような印刷手順、および該電子データと該印刷物との関係の確認手段を提供することを課題とする。
前記課題の解決のために、本発明は、電子データを管理する情報処理装置が印刷された紙および電子データのうちいずれが有効なものであるかを決定するものである。
例えば、紙に対する印刷が実行された場合に、情報処理装置は印刷した旨の情報を受信する。そして、情報処理装置では紙が有効であり、電子データは無効である旨の情報処理を実行する。この時、印刷した旨の情報として、紙を他の紙と区別する識別情報をも受信してもよい。また、紙はＩＣチップが付加されたＩＣペーパであり、識別情報としてＩＣチップに格納された識別情報を用いてもよい。ＩＣチップに格納された識別情報は、ＩＣチップの識別情報、紙の識別情報のいずれでもよい。
また、本発明には、一旦印刷が実行された場合、電子データを有効化し、印刷されている紙に無効であることを示す印刷を実行することも含まれる。
発明を実施するための最良の形態
以下、本発明の実施形態について説明する。
本発明は、ＩＣチップ入りペーパに対して、信頼性の高い印刷処理を行う印刷過程（以下、単に印刷過程と呼ぶ）と、ＩＣチップ入りペーパに対して、前記印刷処理が該ＩＣチップ入りペーパに対して施されたこと、および偽造、不正コピーなどの不正行為が行われなかったことを検証する検証過程（以下、単に検証過程と呼ぶ）、の二つの過程からなる。第１図において、本発明の基本的な手順を備えた印刷過程のステップ図を示し、第３図において、検証過程のステップ図を示す。
まずここに、第７図において、本発明を実行させる代表的な装置構成をブロック図で示す。装置全体は、ＩＣリーダ７３、印刷装置７４、中央処理装置７５、記憶装置７６、入力装置７７、中央処理装置７８、記憶装置７９からなる。ここで、中央処理装置７５と中央処理装置７８、および、記憶装置７６と記憶装置７９は同じものであってもよいし、通常のデータ交換が可能な通信ネットワーク上の別の筐体に存在してもよい。なお、この筐体とは、中央処理装置と記憶装置とを兼ね備えたものであり、一般のパーソナルコンピュータ、携帯情報端末（ＰＤＡ）などを利用できる。ここで、ＩＣチップ入りペーパ７２は、ＩＣチップ７１を載せた紙であり、本実施の形態では紙の部分とＩＣチップ７１の部分は一体となったものとする。ＩＣチップ入りペーパ７２は、通常の紙の一部にＩＣチップ７１を貼り付けたものであってもよいし、ＩＣチップ７１を梳き込んだ紙であってもよい。また、ＩＣチップ入りペーパ７２に搭載されるＩＣチップ７１は、ＩＣチップ識別情報として、該ＩＣチップ７１を他のＩＣチップ７１と区別するための番号ＩＤを記憶している。なお、ＩＣチップ識別情報は、ＩＣチップ入りペーパを他のペーパと区別するための情報であってもよい。ただし、ここで例としてあげたＩＤは、全体から見た通番としての番号だけでなく、使用目的ごとに唯一に採番された番号のように、利用目的ごとにその唯一性が保証されていればよい。ＩＣリーダ７３は、ＩＣチップ入りペーパ７２に搭載される、ＩＣチップ７１上に記憶された電子データを、読取る機能を有する装置である。その電子データの読取りは、ＩＣチップ７１とＩＣリーダ７３が接触していなくても可能である。印刷装置７４は、通常の紙に対する印刷処理を行う機能を有する通常の印刷装置７４装置である。入力装置７７は、マウス、キーボード、マイクのように、文字や形状や音声などを中央処理装置７７が処理可能な電子信号に変換するための１個または複数の装置である。なお、この入力装置７７は、印刷過程において、印刷処理の開始を命令するときに使われ、印刷処理が人間の命令によらず、自動で実行される場合は、入力装置７７を省略してもよい。
以下で、第７図の装置構成において、ＩＣチップ入りペーパに対する、印刷処理を行う印刷過程の手順について、第１図を用いて説明する。
まず、ステップ１０００において、ＩＣチップ入りペーパ７２に対して信頼性の高い印刷処理を行おうとする者（以下、印刷依頼者）は、情報端末７０１を用いて、印刷装置７４印刷装置７４に対して印刷依頼を行う。ここで、印刷依頼とは、印刷装置７４によって印刷可能な印刷データと、該印刷データに対する印刷命令とを意味する。
印刷依頼を受け取った印刷装置７４は、ステップ１０１０において、印刷装置７４に付属している、もしくは印刷装置７４からの要求を受け取ることの出来る通信ネットワークに接続しているＩＣリーダ７３に対して、現在印刷装置７４に装填中のＩＣチップ入りペーパ７２上のＩＣチップ７１に記憶されているＩＣチップ識別情報の読取を要求する。前記読取の要求を受け取ったＩＣリーダ７３は、ＩＣチップ７１からＩＣチップ識別情報を読取り、印刷装置７４に対して、読取の終了通知を行う。ここで、読取の終了通知とは、ＩＣリーダ７３がＩＣチップ７１より読取ったＩＣチップ識別情報と、読取が終了したことを通知する通知メッセージとを送信することである。
前記読取の終了通知をされた印刷装置７４は、ステップ１０２０において、印刷装置７４に装填中のＩＣチップ入りペーパ７２に対して、前記印刷データの印刷処理を行う。この印刷処理は、従来技術の印刷処理を行うものとする。
ステップ１０３０では、ステップ１０１０においてＩＣリーダ７３が読取ったＩＣチップ識別情報と、印刷処理が終了したことを通知する通知メッセージとを、ＩＣチップ入りペーパ７２への印刷情報を管理しているコンピュータであるＥＤＩ管理サーバ７００（以下単に管理サーバと呼ぶ）へ送信する。なお、管理サーバ７００に印刷された内容も送信してもよい。
ステップ１０４０で、管理サーバ７００は、ＩＣチップ７１に記憶されている情報と、印刷処理が終了したことを通知する通知メッセージを受信する。なお、ステップ１０３０の送信は、情報端末７０１または印刷装置７４のいずれから行ってもよい。
ステップ１０５０で、管理サーバ７００は、記憶装置７９にあらかじめ設定されているデータテーブルのうちステップ１０４０で受信したＩＣチップ識別情報に対応する領域に印刷終了フラグを記憶する。
以上が、ＩＣチップ入りペーパ７２に対して、本実施の形態の印刷処理を行う、印刷過程のステップである。
次に、ＩＣチップ入りペーパ７２に対する偽造、不正コピーなどの不正行為が行われたか否かを検証する検証過程の手順について、第３図を用いて説明する。
まず、ステップ３０００において、中央処理装置７５からの命令を受けたＩＣリーダ７３が、ＩＣチップ入りペーパ７２上のＩＣチップ７１に記憶されているＩＣチップ識別情報を読取る。
ステップ３０１０では、中央処理装置７５が、ステップ３０００においてＩＣリーダ７３が読取ったＩＣチップ識別情報を、管理サーバ７００へ送信する。
管理サーバ７００は、ステップ３０２０で、読み取られたＩＣチップ識別情報を受信する。
ステップ３０３０において、管理サーバ７００は、ステップ３０２０において受信した、ＩＣチップ識別情報を鍵にして、記憶装置７９に記憶されているデータテーブルに検索処理を行う。ここでの検索処理とは、記憶装置７９に記憶されているデータテーブルに存在する鍵となる情報一覧の各情報と、前記ＩＣチップ識別情報との、比較を行うことである。データテーブルに存在する情報としては、ＩＣチップ識別番号それぞれと対応付けて、印刷に関する情報を格納している。印刷に関する情報としては、第６図に示す６２〜６６のうちすくなくとも１つを含む。また、他に印刷される内容を示す情報であってもよい。ネットワークを介して送信される印刷される内容を示す情報とデータテーブル中の印刷される内容を示す情報を比較し、一致すれば印刷を認める情報を管理サーバ７００からネットワークを介して送信してもよい。この送信先は、情報処理端末７０１および印刷装置７４の少なくとも一方である。また、印刷される内容を示す情報としては、イメージデータであってもよい。
管理サーバ７００は、ステップ３０４０において、ステップ３０３０における検索処理の結果を、情報端末７０１に送信する。ここでの検索処理の結果とは、ステップ３０３０の検索処理において鍵となった、ＩＣチップ識別情報と、データテーブルに格納されたＩＣチップ番号６１との比較結果とを送信される。
以上が、ＩＣチップ入りペーパに対して、前記印刷処理が施された偽造、不正コピーなどの不正行為が行われなかったことを検証する検証過程のステップである。
以下では、上述した基本的な印刷過程、検証過程のステップに従って実現できる具体的な実施例を挙げ、詳細に説明する。
［第１の実施例］
第１の実施例は、企業間における電子データ交換（Ｅｌｅｃｔｒｏｎｉｃ  Ｄａｔａ  Ｉｎｔｅｒｃｈａｎｇｅ：以下、ＥＤＩと呼ぶ）を行うビジネス分野において、その一つのアプリケーションとなるＳｗｉｔｃｈ  Ｔｏ  Ｐａｐｅｒサービスを例にする。
Ｓｗｉｔｃｈ  Ｔｏ  Ｐａｐｅｒサービスを行うための装置構成例を第１０図に示す。情報端末７０１ａ、情報端末７０１ｂおよびＥＤＩ管理サーバ７００が通信ネットワーク１０６を介して接続されている。そして、印刷装置７４ａおよびｂを具備することで、通常行われる、普通の紙に対するＳｗｉｔｃｈ  Ｔｏ  Ｐａｐｅｒサービスは実現できる。さらに、ＩＣリーダ７３として、ＩＣリーダ７３ａ、ＩＣリーダ７３ｂを追加することで、ＩＣチップ入りペーパを用いたＳｗｉｔｃｈ  Ｔｏ  Ｐａｐｅｒサービスが実現できる。
また、第６図は、本特許を適用してＳｗｉｔｃｈ  Ｔｏ  Ｐａｐｅｒサービスを実現する際に、ＥＤＩ管理サーバ７００に格納されるデータテーブルの一例であり、ＩＣチップ番号６１、最終受信日付６２、ＥＤＩデータ番号６３、印刷日付６４、印刷者名称６５、印刷終了フラグ６６などからなる。なお、テーブルのデータ項目については、ここで例示した６２〜６５に限るものではなく、サービスの度合や形態によって、変わるものとする。例えば、印刷すべき内容を示す情報を含めてもよい。
この装置構成例において、Ｓｗｉｔｃｈ  Ｔｏ  Ｐａｐｅｒサービスを実現するステップ図を第２図に示し、詳細を説明する。
まず、Ｓｗｉｔｃｈ  Ｔｏ  Ｐａｐｅｒサービスを行うＥＤＩの仕組を簡単に説明する。Ｓｗｉｔｃｈ  Ｔｏ  Ｐａｐｅｒサービスを行うＥＤＩ管理サーバは、企業間で交換されるＥＤＩデータを仲介する機能を持っている。例えば、情報端末７０１ａから７０１ｂにＥＤＩデータを転送する。ＥＤＩを行おうとする当事者は、情報端末７０１を用いてＥＤＩ管理サーバ７００に対して、ＥＤＩデータを送信する。そして、ＥＤＩ管理サーバ７００は、該ＥＤＩデータを中継する。この連続により、ＥＤＩデータは複数の関与者の情報端末間を転々と移っていく仕組である。その中で、Ｓｗｉｔｃｈ  Ｔｏ  Ｐａｐｅｒサービスとは、途中の段階で、ＥＤＩデータを紙に印刷して、通常通りの業務を続けられるようにするサービスである。
まず、ステップ２０００において、Ｓｗｉｔｃｈ  Ｔｏ  ＰａｐｅｒサービスをＥＤＩ管理サーバ７００に対して要求する者（以下、サービス要求者）は、情報端末７０１ａを用いて、ＥＤＩ管理サーバ７００に対して、ＥＤＩデータの印刷要求を送信する。印刷要求とは、印刷データを送信してもらうための情報である。この際、サービスの対象となるＥＤＩデータを特定するデータとして、ＥＤＩデータ番号を用いる。他に、最終受信日付などが用いてもよい。これらのデータは、ステップ２０００以前に、取得済みである。このデータと印刷要求とをＥＤＩ管理サーバ７００に送信する。なお、印刷要求はサービス要求者が意図的に送信しても、情報端末７０１ａに内蔵されている印刷要求プログラムが自動で行ってもよい。
ステップ２０１０において、ＥＤＩ管理サーバ７００は、印刷要求とＥＤＩデータを特定するデータを受信する。ＥＤＩ管理サーバ７００は、受信した、ＥＤＩデータを特定するデータを用いて、データテーブルを検索して、印刷対象とされるＥＤＩデータを特定する。第６図を用いた例では、「ＥＤＩデータ番号：Ｈ２００００１０２３」というデータを受信した場合、三段目のＥＤＩデータが印刷対象として特定されることになる。
ステップ２０２０において、ＥＤＩ管理サーバ７００は、特定された印刷対象のＥＤＩデータを、情報端末７０１ａに送信する。この際の印刷データの形式については、ＥＤＩデータそのものであっても、印刷に適した形に変換されていてもどちらでもよい。
ステップ２０３０において、情報端末７０１ａは、印刷対象のＥＤＩデータの印刷データを受信する。この際、印刷データが印刷に適した形に変換されていない場合は、情報端末７０１ａが変換する。
次に、ステップ１０００において、情報端末７０１ａは印刷装置７４ａに対して、印刷依頼を行う。この際の印刷依頼には、印刷の要求メッセージと、ステップ２０３０において情報端末７０１ａが受信した印刷データおよび情報端末７０１ａで変換されるデータのうち少なくとも一方が含まれる。
印刷依頼を受け取った印刷装置７４は、ステップ１０１０において、印刷装置７４に付属しているＩＣリーダ１０３ａに対して、現在印刷装置７４に装填されているＩＣチップ入りペーパ１０１ａ上のＩＣチップに記憶されているＩＣチップ番号の読取を要求する。ここで、Ｓｗｉｔｃｈ  Ｔｏ  Ｐａｐｅｒサービスに用いられるＩＣチップ入りペーパは、ＩＣチップ入りペーパの作成時に、そのＩＣチップ部に、ある採番方法によって、ＩＣチップ固有のＩＣチップ番号を記憶している。または、通常の紙に対して、ＩＣチップを含んだシールなどが貼付され、そのＩＣチップに、ＩＣチップ固有のＩＣチップ番号などがあらかじめ記憶されている。さらにその場合、印刷用の紙に対して、ＩＣチップを含んだシールを貼付する時期については、次のステップ１０１０においてＩＣチップ番号の読取が行われる以前であれば、そのステップ１０１０の直前でも、またはあらかじめシールが貼付された紙を用いてもよいものとする。また、この例ではＩＣチップに、ＩＣチップ番号を記憶させていたが、ＩＣチップを特定できるＩＣチップ固有のデータであれば、ＩＣチップ番号の代わりに用いることができる。
ステップ１０１０では、ステップ１０００において印刷依頼を受け取った印刷装置７４は、ＩＣリーダ１０３ａを用いて、印刷装置７４に装填されているＩＣチップ入りペーパ１０１ａのＩＣチップから、ＩＣチップ番号を読取る。読取ったＩＣチップ番号は、印刷装置７４、またはＩＣリーダ１０３ａ、または情報端末７０１ａ、いずれかの記憶領域（一時記憶でもよい）に保存される。ここで、ＩＣリーダ１０３ａは、第１０図においては、便宜上印刷装置７４と離れて描写しているが、実際の形態については、図の通り別の装置として存在してもよいし、ＩＣリーダ１０３ａを組み込んだ印刷装置７４であってもよいし、また、印刷機能をもったＩＣリーダ１０３ａであってもよい。
ステップ１０１０において、ＩＣチップ番号を読取った後、ステップ１０２０において、印刷装置７４は、この段階で装填されているＩＣチップ入りペーパに対して、ステップ１０１０において受信した印刷データの印刷処理を行う。印刷処理の終了後、印刷結果を情報端末７０１ａに通知する。または、情報端末７０１ａ上の印刷プログラムが、印刷装置７４を監視しておき、印刷の終了を検知する。
ステップ１０３０においては、情報端末７０１ａは、ステップ１０２０において受信した印刷結果と、ステップ１０１０において保存されていたＩＣチップ番号と、をＥＤＩ管理サーバ７００へ送信する。ここで、ＥＤＩ管理サーバ７００に送信される印刷結果とは、この例では、印刷日付、印刷者名称を含んでいる。なお、印刷した内容を画像認識して認識したデータを印刷結果として送信してもよい。そのデータは、情報端末７０１ａ上のプログラム、もしくは、印刷装置７４が持つプログラムによって、印刷の正常終了通知に追加されるものである。なお、このデータの項目は、Ｓｗｉｔｃｈ  Ｔｏ  Ｐａｐｅｒサービスの度合、形態によって利用する際に都合のいいように設定してもよい。
ステップ１０４０において、ＥＤＩ管理サーバ７００は、ステップ１０２０において情報端末７０１ａが受信した印刷結果と、ステップ１０１０において保存されていたＩＣチップ番号とを、情報端末７０１ａより受信する。
ステップ１０５０において、ＥＤＩ管理サーバ７００は、ステップ１０４０で受信した印刷結果と、保存されているＩＣチップ番号とを、データテーブルに格納する。格納の際に、印刷終了フラグ６６を「終了」に書き換える。格納する際の鍵となる項目はＩＣチップ番号である。ＩＣチップ番号が既に、データテーブル内に存在すると判定された場合は、以前に、この手順によって、他のＥＤＩデータを印刷されたＩＣチップ入りペーパに、再び印刷処理を行ったということであり、その際はこの印刷結果をデータテーブルに保存せずに、終了のステップに至る。この処理を行うことで、特定のＩＣチップ番号に対して、複数のＥＤＩデータが紐付けられて管理されるという状態が起こることを防ぐ。また、印刷終了フラグ６６を「終了」に書き換えることで、印刷対象となったＥＤＩデータが既に印刷処理を施され、ＩＣチップ入りペーパとして存在することを保証しているので、ＥＤＩデータとして、企業間で交換されるのをストップすることができる。このため、ＩＣチップ入りペーパでの流通と、ＥＤＩデータでの流通が平行して発生する事態を防いで、取引上の信頼性を向上することができる。
以上が、本発明の印刷過程を、ＥＤＩ分野のＳｗｉｔｃｈ  Ｔｏ  Ｐａｐｅｒサービスに適用した例である。
この印刷過程により、印刷処理が施されたＩＣチップ入りペーパは、従来から行われている、紙ベースの業務処理により、社内の関係者、他社などに手交されていく。この手交方法、手順、経路については、どのような形で手交されてもよい。
次に、本発明の検証過程を、ＥＤＩ分野のＳｗｉｔｃｈ  Ｔｏ  Ｐａｐｅｒサービスに適用した場合の手順を、第３図のステップ図に従って、第１０図の装置構成例を用いて説明する。
まず、ステップ３０００において、ＥＤＩ管理サーバ７００に対して、検証過程を用いた検証を依頼する場合は、情報端末７０１ｂが、ＩＣリーダ１０３ｂに対して、検証対象のＩＣチップ入りペーパ１０１ｂのＩＣチップ番号を読取るように依頼する。ＩＣリーダ１０３ｂは、検証対象のＩＣチップ入りペーパ１０１ｂ上のＩＣチップ番号を読取り、読取ったＩＣチップ番号を情報端末７０１ｂに通知する。なお、情報端末７０１ｂが依頼するのでなく、ＩＣリーダ１０３ｂが行ってもよい。
ステップ３０１０において、情報端末７０１ｂは、ＥＤＩ管理サーバ７００に対して、ステップ３０００でＩＣリーダ１０３ｂが読取った、ＩＣチップ入りペーパ１０１ｂのＩＣチップ番号を送信する。
ステップ３０２０で、ＥＤＩ管理サーバ７００は、ＩＣリーダ１０３ｂが読取った、ＩＣチップ入りペーパ１０１ｂのＩＣチップ番号を受信する。
ステップ３０３０で、ＥＤＩ管理サーバ７００は、ステップ３０２０において受信したＩＣチップ番号を鍵にして、第６図に示したデータテーブル中のＩＣチップ番号６１の行データを検索する。この例では、鍵となるＩＣチップ番号として、「１０１３３」が受信されたとすると、三段目にこのＩＣチップ番号が存在しており、検証結果は「問題なし」と判断される。それは、本発明の印刷過程によれば、特定のＩＣチップ番号は一つのＥＤＩデータに紐付けられることが保証されているためである。ここで、ＩＣチップ番号がデータテーブルに存在するということは、そのＩＣチップ番号を記憶するＩＣチップを備えたＩＣチップ入りペーパには、本発明の印刷過程による印刷処理が施されたことを保証するからである。
ステップ３０４０において、ＥＤＩ管理サーバ７００は、情報端末７０１ｂにステップ３０３０の検索結果を送信する。なお、この検索結果には、ステップ３０３０において、検証結果が「問題なし」とされた場合、ＩＣチップ番号に該当するＥＤＩデータの、最終更新日付、ＥＤＩデータ番号、印刷日付、印刷者名称などが含まれていてもよい。
ステップ３０５０において、情報端末７０１ｂは、ＥＤＩ管理サーバ７００より、検索結果を受信する。この例では、ＩＣチップ番号「１０１３３」は、データテーブル中に存在したため、検証結果は「問題なし」と判断され、ＩＣチップ入りペーパ１０１ｂは、本発明の印刷過程により印刷処理が施されたこと、つまり、不正なコピーにより偽造されたＩＣチップ入りペーパではないことが検証されたものである。
続いて、ＥＤＩ分野のＳｗｉｉｃｈ  Ｔｏ  Ｐａｐｅｒサービスにおいて、上記の印刷処理が施されたＩＣチップ入りペーパに対して、印刷対象となったＥＤＩデータを特定して、印刷情報の変更を行う。具体的には、印刷情報のうちＩＣチップ番号の破棄を行い、該ＩＣチップ入りペーパの有価性を無効とし、ＥＤＩデータの有価性を再び有効にする手順を、第４図のステップ図に従って、第１０図の装置構成例を用いて説明する。
まず、ステップ４０００において、、情報端末７０１ｂが、ＩＣリーダ１０３ｂに対して、検証対象のＩＣチップ入りペーパ１０１ｂ上のＩＣチップ番号を読取るように依頼する。ＩＣリーダ１０３ｂは、検証対象のＩＣチップ入りペーパ１０１ｂ上のＩＣチップ番号を読取り、読取ったＩＣチップ番号を情報端末７０１ｂに通知する。
ステップ４０１０において、情報端末７０１ｂは、ステップ４０００において読取ったＩＣチップ番号と、該ＩＣチップ入りペーパ１０１ｂに対する印刷情報の変更依頼を、ＥＤＩ管理サーバ７００に送信する。この例においては、読取ったＩＣチップ番号として「１０１３３」を、印刷情報の変更依頼として、「該ＩＣチップ番号と、対応するＥＤＩ印刷終了フラグの削除」を表わすメッセージを送信する。
ステップ４０２０で、ＥＤＩ管理サーバ７００は、ＩＣリーダ１０３ｂが読取った、ＩＣチップ入りペーパ１０１ｂのＩＣチップ番号と、ＩＣチップ入りペーパ１０１ｂに対する印刷情報の変更依頼を受信する。
ステップ４０３０で、ＥＤＩ管理サーバ７００は、ステップ４０２０において受信したＩＣチップ番号を鍵にして、第６図に示したデータテーブル中のＩＣチップ番号６１の行データを検索する。そして、ステップ４０２０において受信したＩＣチップ番号が存在するかのチェックを行う。この例では、鍵となるＩＣチップ番号として、「１０１３３」が受信されたとすると、第６図の三段目にこのＩＣチップ番号が存在している。
ステップ４０４０で、ＥＤＩ管理サーバ７００は、検索されたＩＣチップ番号に対して、該ＩＣチップ番号と関連付けられて格納された印刷情報を検索し、受信した変更依頼の内容に応じて、該印刷情報を変更する。この例では、ＩＣチップ番号「１０１３３」に対する印刷情報の最終受信日付「２０００／０１／０２」、ＥＤＩデータ番号「Ｈ２００００１０２３」、印刷日付「２０００／０１／０３」、印刷者名称「企業Ａ」、印刷終了フラグ「終了」のうち、少なくとも１つを得る。このステップにおいて、印刷終了フラグを「未印刷」、あるいは「変更済」というデータに変更し、該ＩＣチップ番号「１０１３３」を削除する。このような処理を行うことで、印刷物のＩＣチップ入りペーパを、検証手段を用いることによって、無効となったことを発見する手段を提供できる。さらに、印刷対象であったＥＤＩデータの電子的な交換を再び行えるようにできる。
なお、情報端末７０１は、印刷装置７４にペーパに対して印刷されている内容が無効になるような印刷を実行するように指示してもよい。また、情報端末７０１とシュレッダーを接続しておき、シュレッダーに対してペーパを裁断するように指示してもよい。このように、情報端末７０１は接続しているデバイスに印刷されている内容が無効になるような処理を実行するように指示を出してもよい。
［第１の実施例の変形例１］
第１の実施例の変形例１として、より信頼性の高い印刷方法を説明する。第５図に変形例１の印刷過程のステップ図を示す。実施する装置構成は第１０図と同等でよい。まず、ステップ５０００で、ＩＣリーダ１０３ａに対してＩＣチップ入りペーパ１０１ａのＩＣチップ番号を読取りを要求する。ステップ５０１０において、ＩＣリーダ１０３ａは、ＩＣチップ入りペーパ１０１ａのＩＣチップ番号を読取り（以下、ここで読取ったＩＣチップ番号をＩＣチップ番号１と呼ぶ）、情報端末７０１ａに通知する。ステップ５０２０で情報端末７０１ａは、印刷要求およびＩＣチップ番号１を、ＥＤＩ管理サーバ７００に送信する。ここでいう印刷要求は実施例１のステップ２０００における印刷要求と同等のものである。ステップ５０３０で、ＥＤＩ管理サーバ７００は印刷要求とＩＣチップ番号１を受信する。ステップ５０４０で、ＥＤＩ管理サーバ７００は、ＩＣチップ番号１をデータテーブルのＩＣチップ番号６１、に格納する。ステップ５０５０、５０６０は、それぞれ実施例１における、ステップ２０２０、２０３０と同等の処理を行うが、印刷データとともにＩＣチップ番号１が送受信されている点が異なる。ステップ１０００、１０１０はそれぞれ実施例１における、ステップ１０００、１０１０と同等の処理を行う。（以下、ステップ１０１０において、ＩＣリーダ１０３ａが読取ったＩＣチップ番号をＩＣチップ番号２と呼ぶ。）
ステップ５０７０では、ステップ５０６０で受信したＩＣチップ番号１と、ステップ１０１０で読取ったＩＣチップ番号２の比較を行う。比較の結果、番号が一致しなかった場合、印刷過程は終了する。つまり、ペーパへの印刷処理を実行しない。番号が一致した場合、ステップ１０２０に進む。ステップ１０２０、１０３０、１０４０、１０５０は、それぞれ実施例１のステップ１０２０、１０３０、１０４０、１０５０と同等の処理を行う。以上が変形例１の印刷過程である。検証過程については、第１の実施例と同じ処理を行う。
［第１の実施例の変形例２］
第１の実施例の変形例２として、より信頼性の高い印刷方法を説明する。第８図に変形例２の印刷過程のステップ図を示す。実施する装置構成は第１０図と同等でよい。ステップ２０２０、２０３０、１０００、１０１０、１０２０、１０３０、１０４０、１０５０は、それぞれ第１の実施例における同番号のステップと、ステップ５０００、５０１０、５０２０、５０３０、５０４０は、第１の実施例の変形例における同番号のステップと、同等の処理を行う。印刷処理の後にステップ８０００では、ＩＣチップ番号１とＩＣチップ番号２の比較を行う。比較の結果、番号が一致しなかった場合、印刷過程は終了する。番号が一致した場合、ステップ１０５０に進み、印刷終了フラグを「終了」に書き換えて、印刷過程を終了する。以上が変形例２の印刷過程である。
検証過程については、第１の実施例と同じ処理を行う。この方法により、印刷中にＩＣチップ入りペーパが差替えられたことを検知でき、より信頼性の高い印刷が実現できる。
［第１の実施例の変形例３］
第１の実施例の変形例３として、一つのＥＤＩデータに対して複数のペーパへの印刷を管理する方法について説明する。第９図に変形例３の印刷過程のステップ図を示す。実施する装置構成は第１０図と同等でよい。ステップ２０２０、２０３０、１０００、１０１０、１０２０、１０３０、１０４０、１０５０は、それぞれ第１の実施例における同番号のステップと、同等の処理を行う。ステップ９０００で、情報端末７０１は、入力装置より印刷データに対する印刷する枚数を受取り、記憶装置７４に格納する。ステップ９０１０で、情報端末７０１は、印刷ステップ９０００で受取った印刷枚数とともに、センタサーバ７００に印刷要求を送信する。ステップ９０２０において、センタサーバ７００は印刷枚数と印刷要求を受信する。ステップ９０３０において、センタサーバ７００は、印刷枚数を記憶装置７６に格納する。これは、実際に印刷処理が行われた枚数と比較するために必要となるので、ステップ９０３０で記憶装置７６に格納しておく。ステップ２０２０、２０３０、１０００、１０１０、１０２０はそれぞれ、実施例１の同番号のステップと、同等の処理を行う。ステップ９０４０において、情報端末７０１は、現在の印刷枚数を、記憶装置７４に格納した、ステップ９０００で受取った印刷枚数と比較する。双方が一致しなかった場合は、再びステップ１０１０より印刷処理を行い、双方が一致するまで印刷処理を行う。双方が一致した場合、ステップ１０３０へと進む。ステップ１０３０、１０４０はそれぞれ、第１の実施例における同番号のステップと、同等の処理を行う。ステップ９０５０において、センタサーバ７００は、ステップ１０４０で受信した印刷結果とＩＣチップ番号を、ステップ９０３０において記憶装置７６に格納した印刷枚数と比較する。双方が一致しなかった場合、印刷に際して異常な処理が行われたものとして、情報端末７０１に異常を通知して終了する。双方が一致した場合、センタサーバ７００は、ステップ１０４０で受信した印刷結果とＩＣチップ番号をそれぞれ、データテーブルに格納する。
次に第４図の変更過程を用いて、正副の関係を持つ複数枚の印刷物を管理する場合に、その関係を変更する方法について説明する。手順については、実施例１に述べた処理手順と同じである。まず、この手順を用いて、正とされているＩＣチップ入りペーパの情報を変更する。この際、正という情報を破棄する。次に、この手順を用いて、副とされているＩＣチップ入りペーパの情報を変更する。この際、副という情報を正に変更する。この手順により、複数枚の印刷物における正副の関係を変更できる．
［第２の実施例］
第２の実施例では、複数の郵便局間で郵便書留を扱う業務において、郵便書留にＩＣチップを付与した際の本発明の適用例を示す。
郵便書留管理を行うシステムにおいて、必要な構成を第１４図に示す。このシステムは、書留業務管理サーバ１４１として中央処理装置１４９、記憶装置１５０を、郵便局１４２を構成するものとして、郵便局端末１４３、ＩＣリーダ１４４、印刷装置１４５とを具備し、郵便局端末１４３として中央処理装置１４６、記憶装置１４７、入力装置１４８を具備する。また、書留用紙は、ＩＣチップが付与されたもので、そのＩＣチップにはそれぞれを識別できるように、個別の情報として、通番としての番号などが記憶されている。この例ではＩＣチップ番号が記憶されているものとする。
また、郵便書留管理を行うシステム全体は、第１５図に示すように、書留業務管理サーバ１４１ａ、引受郵便局１４２ａ、中継郵便局１４２ｂ、配達郵便局１４２ｃからなる。なお、中継郵便局１４２ｂは複数存在しても良い。また、中継郵便局１４２ｂ、および配達郵便局１４２ｃには、印刷装置１４５は必ずしも必要でない。
第１８図は、本適用例において、書留業務を実行する際に書留業務管理サーバ１４３において管理されるデータテーブルの一例であり、ＩＣチップ番号１８１、宛先住所１８２、宛名１８３、受付郵便局１８４、受付日時１８５、現在の中継局１８６、配達完了フラグ１８７、更新日時１８８などからなる。なお、テーブルのデータ項目については、ここで例示した１８１−１８６に限るものではなく、形態により他の情報が追加されてもよい。
この装置構成例において、郵便書留業務を実現する手段は、情報登録過程、情報変更過程からなる。登録過程の手順について、ステップ図を第１６図に示し、詳細を説明する。変更過程については、ステップ図を第１７図に示し、詳細を説明する。
まず、ステップ１６０００において、引受郵便局１４２ａにおいて郵便書留の業務を始める者は、入力装置１４８を用いて印刷したい情報を入力する。入力する情報は、第１８図に示した情報のうち、宛先住所１８２、宛名１８３である。入力された情報は、引受郵便局１４２ａ内の郵便局端末１４３にて受け付けされ、入力された印刷したい情報は、記憶装置１４７に記憶される。
ステップ１６０１０では、郵便局端末１４３は印刷装置１４５に印刷依頼を送信する。
ステップ１６０２０で、印刷依頼を受信した印刷装置１４５は、ＩＣリーダ１４４を用いて印刷対象となるＩＣチップ入り書留用紙のＩＣチップから、ＩＣチップ番号を読取る。
ステップ１６０３０で、印刷装置１４５はＩＣチップ入り書留用紙７２ａに対して、ステップ１６０１０の印刷依頼に従って印刷処理を行う。ただし、このステップにおいて書留用紙７２ａに印刷される文字は、ステップ１６０１０において提供された情報そのものでもよいし、もしくはバーコードのように符号化された情報でもよい。また、人間が直接目視できないものであって、特殊な光線（例えば紫外線）を当てると人間が目視できるものを印刷してもよい。
ステップ１６０３０の印刷処理が終了した場合、ステップ１６０４０において、印刷装置１４５は、印刷が終了したことの通知を作成し、ステップ１６０２０において読取ったＩＣチップ番号とともに、郵便局端末１４３に対して送信する。
ステップ１６０５０では、郵便局端末１４３は、印刷が終了したことの通知と、ステップ１６０２０において読取ったＩＣチップ番号を受信する。そして、ステップ１６０００において記憶装置１４７に記憶された印刷情報を読み出し、該印刷情報を、受信した印刷終了通知とＩＣチップ番号とともに、書留業務管理サーバ１４１ａに送信する。
ステップ１６０６０で、書留業務管理サーバ１４１ａは、印刷終了通知とＩＣチップ番号と印刷情報を受信する。
ステップ１６０７０で、書留業務管理サーバ１４１ａは、受信したＩＣチップ番号をキーとして、第１８図に示すデータテーブルのＩＣチップ番号１８１を検索し、同一のＩＣチップ番号が既に存在しないことを確認する。存在した場合は、二重印刷などの異常状態であると判断して、異常であることを郵便局端末１４３に通知して終了する。
ステップ１６０７０において、該ＩＣチップ番号がデータテーブルに存在しなかった場合は、受信したＩＣチップ番号と印刷情報とを関連付けてデータテーブルに格納する。
以上が、書留業務開始時の情報登録過程である。
次に情報変更過程について第１７図のステップ図を用いて説明する。情報変更過程は、引受郵便局１４２ａ、中継郵便局１４２ｂ、配達郵便局１４２ｃにおいて実行される。
ステップ１７０００において、郵便局１４２の郵便局端末１４３は、情報を変更したい書留用紙１５２のＩＣチップ１５１から、ＩＣリーダ１４４を用いてＩＣチップ番号を読取る。
ステップ１７０１０で、郵便局端末１４３はステップ１７０００で読取ったＩＣチップ番号と印刷情報変更依頼を書留業務管理サーバ１４１ａに送信する。ここで、印刷情報変更依頼は、変更を依頼する者が必要となる情報を入力することにより生成されてもよいし、郵便局端末１４３において自動的に生成されてもよい。
ステップ１７０２０において、書留業務管理サーバ１４１ａは、ＩＣチップ番号と印刷情報変更依頼を受信する。
ステップ１７０３０で、書留業務管理サーバ１４１ａは、受信したＩＣチップ番号をキーとして、第１８図に示すデータテーブルのＩＣチップ番号１８１を検索し、同一のＩＣチップ番号が存在することを確認する。存在しない場合は、情報登録過程を経ていないか、もしくはすでに情報が変更されているか、と判断して、郵便局端末１４３に通知して終了する。
ステップ１７０４０で、書留業務管理サーバ１４１ａは、ステップ１７０２０で受信した印刷情報変更依頼に従って、データテーブルの変更を行う。第１８図のデータテーブル例において変更可能な情報は、現在の中継局１８６、配達完了フラグ１８７である。
以上が、郵便書留業務における情報変更過程である。
以下で、情報登録過程、情報変更過程を用いた郵便書留管理システムを説明する。
まず、引受郵便局１４２ａでは、情報登録過程を用いて、郵便書留を受け付ける。その際、ＩＣチップ番号１８１、宛先住所１８２、宛名１８３、受付郵便局１８４、受付日時１８５が登録されている。
次に、引受郵便局１４２ａでは、書留業務管理サーバ１４１ａに管理されている宛先住所１８２を取得して、該書留用紙１５２を、最適な中継郵便局１４２ｂに配送する。この際の中継郵便局１４２ｂの選定方法に、制限はないものとする。配送する際に、情報変更過程を用いて、書留業務管理サーバ１４１ａのデータテーブルのうち、現在の中継局１８６、更新日時１８８を、それぞれ適した値に変更する。この配送処理の繰り返しにより、配達郵便局１４２ｃへ、該書留用紙１５２を配送できる。
配達郵便局１４２ｃでは、書留を配送する際、情報変更過程を用いて、受け取った書留用紙１５２の、書留業務管理サーバ１４１ａに記憶されている宛先住所１８２、宛名１８３を取得し、書留業務管理サーバ１４１ａのデータテーブルの配達完了フラグ１８７を完了に変更する。
産業上の利用可能性
本発明によれば、偽造印刷を発見することができる。また、印刷対象の電子データと、印刷物との対応関係を確認できる。
【図面の簡単な説明】
第１図は、本発明において、印刷過程の基本的な手順を示すフロー図である。
第２図は、第１の実施例において、印刷過程の手順を示すフロー図である。
第３図は、本発明において、検証過程の手順を示すフロー図である。
第４図は、第１の実施例において、ＩＣチップ入りペーパから電子データを特定する手順を示すフロー図である。
第５図は、第１の実施例の変形例１において、印刷過程の手順を示すフロー図である。
第６図は、第１の実施例において、記憶装置に記録されるデータテーブルの例を表わす図である。
第７図は、本発明を実施するための基本的な装置構成を示すブロック図である。
第８図は、第１の実施例の変形例２において、印刷過程の手順を示すフロー図である。
第９図は、第１の実施例の変形例３において、印刷過程の手順を示すフロー図である。
第１０図は、第１の実施例において、本発明を実施するための装置構成例を示すブロック図である。
第１１図は、第２の実施例において、本発明の印刷過程の手順を示すフロー図である。
第１２図は、本発明の基本過程において、ステップ１０３０についての詳細なフロー図である。
第１３図は、本発明の基本過程において、ステップ４０４０についての詳細なフロー図である。
第１４図は、第２の実施例において、本発明を実施する構成を表わすブロック図である。
第１５図は、第２の実施例において、郵便書留業務システムを表わすブロック図である。
第１６図は、第２の実施例において、本発明の情報登録過程を表わすフロー図である。
第１７図は、第２の実施例において、本発明の情報変更過程を表わすフロー図である。
第１８図は、第２の実施例において、書留業務管理センタで管理されるデータテーブルの例を表わす図である。
【図１】
0004039060.tif 000002
【図２】
0004039060.tif 000003
【図３】
0004039060.tif 000004
【図４】
0004039060.tif 000005
【図５】
0004039060.tif 000006
【図６】
0004039060.tif 000007
【図７】
0004039060.tif 000008
【図８】
0004039060.tif 000009
【図９】
0004039060.tif 000010
【図１０】
0004039060.tif 000011
【図１１】
0004039060.tif 000012
【図１２】
0004039060.tif 000013
【図１３】
0004039060.tif 000014
【図１４】
0004039060.tif 000015
【図１５】
0004039060.tif 000016
【図１６】
0004039060.tif 000017
【図１７】
0004039060.tif 000018
【図１８】
0004039060.tif 000019